(57)【要約】【課題】インタークーラにおける空気の冷却効率を向上させる。【解決手段】インタークーラに流入する空気の温度に基づいて、インタークーラを冷却するファンの目標回転数を決定する目標決定部１２３と、目標回転数に基づいて、ファンを回転させるファン回転部１２４と、を備える。また、ファン制御装置１は、ラジエータの液温に基づいて、ファンの回転数のベース値を決定するベース値決定部１２１と、空気の温度に基づいて、補正係数を決定する補正係数決定部１２２とをさらに備え、目標決定部１２３は、ベース値と補正係数との積を目標回転数として求めてもよい。【選択図】図２
2018189040.tif 000002
【特許請求の範囲】
【請求項１】
インタークーラに流入する空気の温度に基づいて、前記インタークーラを冷却するファンの目標回転数を決定する目標決定部と、
前記目標回転数に基づいて、前記ファンを回転させるファン回転部と、
を備える、ファン制御装置。
【請求項２】
ラジエータの液温に基づいて、前記ファンの回転数のベース値を決定するベース値決定部と、
前記空気の温度に基づいて、補正係数を決定する補正係数決定部とをさらに備え、
前記目標決定部は、前記ベース値と前記補正係数との積を前記目標回転数として求める、
請求項１に記載のファン制御装置。
【請求項３】
前記補正係数決定部は、前記空気の温度が所定の閾値より大きい場合に、前記空気の温度の上昇に対する前記補正係数の増加の割合を大きくする、
請求項２に記載のファン制御装置。
【請求項４】
前記ファン回転部は、前記目標回転数に基づいて、エンジン回転数に対する前記ファンの回転数の比を変更する、
請求項１から３のいずれか一項に記載のファン制御装置。
【発明の詳細な説明】
【技術分野】
【０００１】
本発明は、ファン制御装置に関し、より詳しくは、インタークーラを冷却するためのファンを制御するファン制御装置に関する。
【背景技術】
【０００２】
従来の車両の冷却システムでは、インタークーラ、ラジエータ及びファンを走行方向に沿って直列となるように配置し、ファンからの送風によりインタークーラ及びラジエータを冷却していた（例えば、特許文献１を参照）。
【先行技術文献】
【特許文献】
【０００３】
【特許文献１】特開２０１４−８８７９９号公報
【発明の概要】
【発明が解決しようとする課題】
【０００４】
特許文献１に記載の装置では、ラジエータを主に冷却するためのファンを用いてインタークーラを冷却していたため、ラジエータの冷却液の液温が低い状態では、コンプレッサからインタークーラに高温の空気が流入していたとしても、ファンが回転しなかった。このため、インタークーラに高温の空気が流入した場合には、この高温の空気がインタークーラ内で十分に冷却されることなくエンジンに吸気され、エンジン排気中の窒素酸化物の増加を引き起こすという問題があった。
【０００５】
そこで、本発明はこの点に鑑みてなされたものであり、インタークーラにおける空気の冷却効率を向上させることができるファン制御装置を提供することを目的とする。
【課題を解決するための手段】
【０００６】
本発明の第１の態様のファン制御装置は、インタークーラに流入する空気の温度に基づいて、前記インタークーラを冷却するファンの目標回転数を決定する目標決定部と、前記目標回転数に基づいて、前記ファンを回転させるファン回転部と、を備える。
【０００７】
前記ファン制御装置は、ラジエータの液温に基づいて、前記ファンの回転数のベース値を決定するベース値決定部と、前記空気の温度に基づいて、補正係数を決定する補正係数決定部とをさらに備え、前記目標決定部は、前記ベース値と前記補正係数との積を前記目標回転数として求めてもよい。
【０００８】
前記補正係数決定部は、前記空気の温度が所定の閾値より大きい場合に、前記空気の温度の上昇に対する前記補正係数の増加の割合を大きくしてもよい。
【０００９】
前記ファン回転部は、前記目標回転数に基づいて、エンジン回転数に対する前記ファンの回転数の比を変更してもよい。
【発明の効果】
【００１０】
本発明によれば、インタークーラにおける空気の冷却効率を向上させることができるという効果を奏する。
【図面の簡単な説明】
【００１１】
【図１】第１の実施形態のファン制御装置を搭載した車両の構成を示す図である。
【図２】ファン制御装置の構成を示す図である。
【図３】コンプレッサが圧縮した空気の温度と、補正係数の関係をグラフ形式で示す図である。
【図４】ファン制御装置の動作を示すフローチャートである。
【発明を実施するための形態】
【００１２】
＜第１の実施形態＞
図１は、第１の実施形態のファン制御装置１を搭載した車両Ｓの構成を示す図である。車両Ｓは、ファン制御装置１、ラジエータ２、インタークーラ３、ファン４、コンプレッサ５、エンジン６及び温度センサ７を備える。ラジエータ２は、冷却液を循環させるためのチューブによりエンジン６と連結している。ラジエータ２は、ファン４による送風又は外気により、エンジン６を循環する冷却液を冷却する。ラジエータ２内には、冷却液の温度を測定するための図示しない温度センサが配置されており、この温度センサは、冷却液の温度を示す液温測定信号をファン制御装置１に入力する。
【００１３】
コンプレッサ５は、エンジン出力を高めるために、エンジン６に吸入される空気を圧縮する。例えば、コンプレッサ５は、エンジン６の回転数が高く、かつ、高トルクが要求される状態では、エンジン６に吸入される空気をより高い圧縮率で圧縮する。コンプレッサ５が圧縮した空気は高温になり、エンジン６がこの高温の空気を吸気すると、エンジン６の排気において窒素酸化物が増加する可能性がある。そこで、インタークーラ３は、ファン４による送風又は外気により、コンプレッサ５が圧縮した空気を空冷する。インタークーラ３が、エンジン６に吸気される空気を冷却することにより、エンジン６の排気において窒素酸化物が増加することを抑制することができる。
【００１４】
ファン４は、ラジエータ２及びインタークーラ３を送風により冷却する。本実施形態の例では、エンジン６の回転出力の一部がファン４に伝達され、ファン４は、この出力により回転する。エンジン６は、燃料を燃焼させることにより、車両Ｓを走行させるための駆動力を発生させる。エンジン６は、インタークーラ３が冷却した空気を吸気し、燃料を燃焼させた後の排気を放出する。温度センサ７は、インタークーラ３に流入する空気の温度を測定する。温度センサ７は、コンプレッサ５において圧縮された空気をインタークーラ３へ送出する管に配置され、例えば、コンプレッサ５の出口付近に配置される。温度センサ７は、インタークーラ３に流入する空気の温度を示す空気温度測定信号をファン制御装置１に入力する。
【００１５】
ファン制御装置１は、ファン４を制御するための制御信号を生成する。より詳しくは、ファン制御装置１は、ラジエータ２内の温度センサが測定した冷却液の温度と、温度センサ７が測定した空気の温度とに基づいて、ファン４の回転数を制御する。このような構成を採用することにより、インタークーラ３に流入する空気が高温となる場合に、ファン制御装置１は、ファン４の回転数を増加させることにより、インタークーラ３の冷却効率を向上させることができる。
【００１６】
図２は、ファン制御装置１の構成を示す図である。ファン制御装置１は、記憶部１１及び制御部１２を有する。記憶部１１は、ＲＯＭ（Read Only Memory）、ＲＡＭ（Random Access Memory）、ハードディスク等の記憶媒体を含む。記憶部１１は、制御部１２が実行するプログラムを記憶している。制御部１２は、例えばＣＰＵ（Central Processing Unit）であり、記憶部１１に記憶されたプログラムを実行することにより、ベース値決定部１２１、補正係数決定部１２２、目標決定部１２３及びファン回転部１２４として機能する。
【００１７】
ベース値決定部１２１は、ラジエータ２内の温度センサからの液温測定信号に基づいて、ファン４の回転数のベース値を決定する。ベース値は、目標決定部１２３がファン４の目標回転数を決定するための基準となる回転数の値である。図示しないウォータポンプが冷却液を循環させることによりエンジン６を冷却するが、冷却液の温度が高い状態では、エンジン６を冷却する効率は低下する。例えば、車速が低い状態では、ラジエータ２が外気によって冷却液を十分に冷却することができないため、冷却液の温度が高くなりやすい。このため、ベース値決定部１２１は、ラジエータ２における冷却液の冷却の効率を向上させることを目的として、冷却液の温度が高くなるほどベース値がより高い値となるように、ベース値を決定する。
【００１８】
補正係数決定部１２２は、温度センサ７からの空気温度測定信号に基づいて、補正係数を決定する。補正係数は、ファン４の回転数のベース値を補正するための値である。図３のグラフを参照して、補正係数決定部１２２の動作について説明する。図３の縦軸は補正係数を示し、図３の横軸は温度センサ７が測定したコンプレッサ５による圧縮空気の温度を示す。図３のグラフの傾きは、空気の温度の上昇に対する補正係数の増加の割合を示す。
【００１９】
図３に示すように、補正係数決定部１２２は、空気の温度が所定の閾値Ｔｎ以下の場合には、補正係数を１．０で一定とする。一方、補正係数決定部１２２は、空気の温度が所定の閾値Ｔｎを超える場合には、空気の温度が閾値Ｔｎ以下となる領域に比べてグラフの傾きを大きくする。例えば、補正係数決定部１２２は、空気の温度が所定の閾値Ｔｎを超える場合には、空気の温度が増加するにつれて補正係数を大きくする。
【００２０】
コンプレッサ５は、エンジン６の回転数が高く、かつ、高トルクが要求される状態では、エンジン６に吸入される空気をより高い圧縮率で圧縮するため、空気の温度が閾値Ｔｎよりも高くなる。補正係数決定部１２２は、空気の温度を閾値Ｔｎと比較することにより、インタークーラ３をファン４により冷却する必要があることを検出しており、空気の温度が閾値Ｔｎよりも高くなるにつれて、より高い補正係数を割り当てる。一例としては、空気の温度が閾値Ｔｎよりも大きい場合のグラフの傾きは、０より大きい一定値であるがこれに限られず、単調増加であればよい。
【００２１】
閾値Ｔｎは、ファン４の送風によるインタークーラ３の冷却が必要な状態の空気の温度の下限値である。閾値Ｔｎ及びグラフの傾きは、例えば、ファン４を用いないと仮定した場合におけるエンジン６の排気中の窒素酸化物の増加の有無又は程度、ファン４によって生じる騒音、及び、ファン４がエンジン６の出力を利用することによる燃費への影響を考慮して適宜決定することができる。
【００２２】
図２の説明に戻る。目標決定部１２３は、温度センサ７からの空気温度測定信号と、ラジエータ２内の温度センサからの液温測定信号とに基づいて、ファン４の目標回転数を決定する。例えば、目標決定部１２３は、ベース値決定部１２１が決定したベース値と、補正係数決定部１２２が決定した補正係数との積を目標回転数として求める。
【００２３】
例えば、ベース値決定部１２１がラジエータ２内の冷却液の温度が５０℃である状態においてエンジン回転数の５０％に相当するベース値を決定し、かつ、補正係数決定部１２２が補正係数を１．５倍として決定したとする。このとき、目標決定部１２３は、ベース値に補正係数を乗じた値を目標回転数とするので、エンジン回転数の５０％に相当するベース値に補正係数として１．５倍を乗じることにより、エンジン回転数の７５％に相当する回転数を目標回転数として算出する。なお、目標決定部１２３は、ベース値と補正係数との積に対し、さらに別の係数を乗じた値を目標回転数とする構成であってもよい。
【００２４】
ファン回転部１２４は、目標決定部１２３が決定した目標回転数に基づいて、ファン４を回転させるための制御信号を生成する。本実施の形態では、車両Ｓでは、ファンプーリに取り付けられたベルトによりエンジン６の回転出力をファンプーリに伝達し、さらに、流体継手を介してファンプーリの回転をファン４に伝達する。ファン回転部１２４は、流体継手におけるオイル分配を調整することにより、流体継手の滑りを制御する。このため、ファン回転部１２４は、エンジン６の回転数に対するファン４の回転数の比を変更することにより、任意の回転数でファン４を回転させることが可能である。ファン回転部１２４は、目標決定部１２３が決定した目標回転数とファン４の回転数とが一致するように、流体継手におけるオイル分配を調整することを指示する制御信号を生成し、流体継手に入力する。
【００２５】
このような構成を採用することにより、ファン回転部１２４は、任意の回転数でファン４を回転させることが可能であるため、ファン４の回転数が固定でファン４のオンオフのみを切り替える構成と比べて、ファン４のオンオフの切り替えの頻度を小さくすることができる。また、ファン４の回転数が固定でファン４のオンオフのみを切り替える構成と比べて、ファン４の動作時のファン４の回転数を小さくすることができるので、ファン４による騒音及びエンジン６の出力を利用することに伴う燃費の低下を抑制することができる。
【００２６】
図４は、ファン制御装置１の動作を示すフローチャートである。この処理手順は、運転手が車両Ｓのイグニッションスイッチのオン操作を行ったときに開始される。まず、ラジエータ２内の温度センサは、エンジン６を循環する冷却液の温度を測定する。ベース値決定部１２１は、ラジエータ２内の温度センサが測定した冷却液の温度を取得する（Ｓ１）。次に、温度センサ７は、インタークーラ３に流入する空気の温度を測定する。補正係数決定部１２２は、温度センサ７が測定した空気の温度を取得する（Ｓ２）。
【００２７】
さらに、ベース値決定部１２１は、ラジエータ２内の温度センサから取得した冷却液の温度に基づいて、ファン４の回転数のベース値を決定する（Ｓ３）。補正係数決定部１２２は、温度センサ７から取得した空気の温度に基づいて、補正係数を決定する（Ｓ４）。目標決定部１２３は、ベース値決定部１２１が決定したベース値と、補正係数決定部１２２が決定した補正係数との積を目標回転数として算出する（Ｓ５）。ファン回転部１２４は、目標決定部１２３が決定した目標回転数にファン４の回転数が一致するように、エンジン６の回転数に対するファン４の回転数の比を変更し（Ｓ６）、処理を終了する。
【００２８】
本実施の態様によれば、目標決定部１２３は、インタークーラ３に流入する空気の温度に基づいて、インタークーラ３を冷却するファン４の目標回転数を決定する。このため、目標決定部１２３は、インタークーラ３に高温の空気が流入する場合には、ファン４の目標回転数を大きくすることにより、インタークーラ３の冷却効率を向上させることができる。したがって、目標決定部１２３は、エンジン６が高温の空気を吸気することを抑制するので、エンジン６の排気中に窒素酸化物が増大することを抑制することができる。
【００２９】
また、本実施の態様によれば、目標決定部１２３は、ラジエータ２の液温と、インタークーラ３に流入する空気の温度との両方に基づいて、ファン４の目標回転数を決定する。このため、ファン４は、ラジエータ２とインタークーラ３との両方の冷却効率を向上させることができる。
【００３０】
なお、本実施の形態では、ファン４が、ラジエータ２とインタークーラ３との両方を冷却する場合の例について説明した。しかしながら、本発明はこれに限定されない。例えば、ラジエータ２を冷却するためのファンと、インタークーラ３を冷却するためのファンをそれぞれ車両Ｓに配置する構成であってもよい。
【００３１】
＜第２の実施形態＞
第１の実施形態では、温度センサ７が、コンプレッサ５において圧縮された空気をインタークーラ３へ送出する管内に配置される場合の例について説明した。これに対し、本実施形態では、温度センサがインタークーラ３で冷却した空気をエンジン６に送出する管内に配置される場合の例について説明する。
【００３２】
本実施形態では、図示しない温度センサが、インタークーラ３で冷却した空気をエンジン６に送出する管内に配置される。この温度センサは、例えば、インタークーラ３の出口付近に配置される。また、補正係数決定部１２２は、温度センサが測定した空気の温度に基づいて、補正係数を決定するフィードバック制御を行う。例えば、補正係数決定部１２２は、インタークーラ３による冷却後の空気の温度を閾値と比較する。この閾値は、エンジン６に吸入された空気がエンジン６の排気中において窒素酸化物を増加させない空気の温度の上限値である。補正係数決定部１２２は、空気の温度が閾値より高い場合に、補正係数を増加させる。一方、補正係数決定部１２２は、空気の温度が閾値以下である場合に、補正係数を増加させない。
【００３３】
インタークーラ３に高温の空気が流入する場合であっても、例えば、インタークーラ３が外気の影響により空気を十分に冷却できることがある。本実施の形態では、補正係数決定部１２２が、インタークーラ３による冷却後の空気の温度に基づいて、補正係数を決定するので、ファン４の回転数の増大による燃費の低下及び騒音をより精度よく抑制することができる。
【００３４】
なお、第１及び第２の実施形態では、温度センサが、コンプレッサ５において圧縮された空気をインタークーラ３へ送出する管内、又はインタークーラ３で冷却した空気をエンジン６に送出する管内にそれぞれ配置される例について説明した。しかしながら、本発明はこれらの例に限定されず、例えば、温度センサをインタークーラ３内に配置する構成であってもよい。
【００３５】
以上、本発明を実施形態を用いて説明したが、本発明の技術的範囲は上記実施形態に記載の範囲には限定されず、その要旨の範囲内で種々の変形及び変更が可能である。例えば、装置の分散・統合の具体的な実施形態は、以上の実施形態に限られず、その全部又は一部について、任意の単位で機能的又は物理的に分散・統合して構成することができる。また、複数の実施形態の任意の組み合わせによって生じる新たな実施形態も、本発明の実施形態に含まれる。組み合わせによって生じる新たな実施形態の効果は、もとの実施形態の効果を合わせ持つ。
【符号の説明】
【００３６】
１  ファン制御装置
２  ラジエータ
３  インタークーラ
４  ファン
５  コンプレッサ
６  エンジン
７  温度センサ
１１  記憶部
１２  制御部
１２１  ベース値決定部
１２２  補正係数決定部
１２３  目標決定部
１２４  ファン回転部
Ｓ  車両
Ｔｎ  閾値
【図１】
2018189040.tif 000003
【図２】
2018189040.tif 000004
【図３】
2018189040.tif 000005
【図４】
2018189040.tif 000006